(57)【要約】【課題】手ぶれ補正を行うデジタルカメラにおいて、消費電力を低減することが可能な技術を提供する。【解決手段】デジタルカメラ１は、撮像素子により取得されたライブビュー画像を表示するＬＣＤ８１と、デジタルカメラにおける手ぶれを補正する手ぶれ補正処理を行う補正手段と、を備える。この補正手段は、ＬＣＤ８１が表示状態（オン状態）となっている場合において、本撮影画像の露光期間ＴＭ１中に手ぶれ補正処理を実行する一方で、本撮影画像についてのフレーミング期間の一部または全部における手ぶれ補正処理の実行状態を変更する。【選択図】図９
2005175796.tif 000002
【特許請求の範囲】
【請求項１】
デジタルカメラであって、
撮影レンズと、
前記撮影レンズからの被写体像を画像として取得する撮像素子と、
前記撮像素子により取得されたライブビュー画像を表示する表示手段と、
前記表示手段の状態を表示状態と非表示状態との間で切り替える切替手段と、
前記デジタルカメラにおける手ぶれを補正する手ぶれ補正処理を行う補正手段と、
を備え、
前記補正手段は、前記表示手段が前記表示状態となっている場合において、前記撮像素子による本撮影画像の露光期間中に前記手ぶれ補正処理を実行する一方で、前記本撮影画像の前記露光期間よりも前のフレーミング期間の一部または全部における前記手ぶれ補正処理の実行状態を変更することが可能であることを特徴とするデジタルカメラ。
【請求項２】
請求項１に記載のデジタルカメラにおいて、
操作者による撮影指令を受け付ける手段、
をさらに備え、
前記補正手段は、前記フレーミング期間中において、前記撮影指令を受け付けるまで前記手ぶれ補正処理を実行しないことを特徴とするデジタルカメラ。
【請求項３】
請求項１に記載のデジタルカメラにおいて、
操作者による撮影準備開始指令を受け付ける手段、
をさらに備え、
前記補正手段は、前記フレーミング期間中において、前記撮影準備開始指令を受け付けるまでは前記手ぶれ補正処理を実行せず、前記撮影準備開始指令に応じた前記本撮影画像に関する撮影準備中に前記手ぶれ補正処理を実行することを特徴とするデジタルカメラ。
【請求項４】
請求項１に記載のデジタルカメラにおいて、
前記手ぶれ補正処理の実行期間を、少なくともその始期が互いに異なる複数の期間の中から選択して設定する手段、
をさらに備えることを特徴とするデジタルカメラ。
【請求項５】
請求項１から請求項４のいずれかに記載のデジタルカメラにおいて、
前記撮影レンズと前記撮像素子との相対移動を行う駆動手段、
をさらに備え、
前記補正手段は、前記駆動手段を用いて前記手ぶれを補正することを特徴とするデジタルカメラ。
【請求項６】
デジタルカメラであって、
撮影レンズと、
前記撮影レンズからの被写体像を画像として取得する撮像素子と、
前記撮像素子により取得されたライブビュー画像を表示する表示手段と、
前記デジタルカメラにおける手ぶれを補正する手ぶれ補正処理を行う補正手段と、
を備え、
前記補正手段は、前記撮像素子による本撮影画像の露光期間中に前記手ぶれ補正処理を実行する一方で、前記本撮影画像についてのフレーミング期間の一部または全部における前記手ぶれ補正処理の実行状態を変更することが可能であることを特徴とするデジタルカメラ。
【請求項７】
請求項６に記載のデジタルカメラにおいて、
前記表示手段の状態を表示状態と非表示状態との間で切り替える切替手段、
をさらに備え、
前記補正手段は、前記表示手段が前記非表示状態となっている場合において、前記撮像素子による本撮影画像の露光期間中に前記手ぶれ補正処理を実行する一方で、前記本撮影画像の前記露光期間よりも前のフレーミング期間の全部における前記手ぶれ補正処理を実行しないことを特徴とするデジタルカメラ。
【発明の詳細な説明】
【技術分野】
【０００１】
本発明は、デジタルカメラに関し、特に手ぶれ補正処理に関する。
【背景技術】
【０００２】
デジタルカメラに対する手ぶれを補正する技術が存在する（たとえば、特許文献１等）。
【０００３】
しかしながら、このような手ぶれ補正処理は、比較的多くの電力を消費する。特に、撮影レンズ等の光学系とＣＣＤなどの撮像素子とを相対的に移動させる光学的補正処理を行う場合には、駆動動作を伴うため、電力が比較的大量に消費されることになる。
【０００４】
デジタルカメラでは消費電力低減の要請が大きく、手ぶれ補正処理を行うタイミングをできるだけ最小限に止めることが好ましい。
【０００５】
特許文献１には、手ぶれ補正における消費電力を低減する技術として、電子ファインダの有効（表示状態）、無効（非表示状態）の切替が可能なデジタルカメラであって、電子ファインダが有効な場合（あるいは無効な場合）にのみ手ぶれ補正処理を実行する技術が開示されている。
【０００６】
【特許文献１】特開２００２−１５６６７５号公報
【発明の開示】
【発明が解決しようとする課題】
【０００７】
しかしながら、上記の従来技術は、電子ファインダの有効・無効のみに応じて手ぶれ補正処理の実行・非実行を切り替えるものに過ぎず、必ずしも十分に消費電力を低減するものではない。
【０００８】
そこで、この発明の課題は、手ぶれ補正を行うデジタルカメラにおいて、消費電力を低減することが可能な技術を提供することにある。
【課題を解決するための手段】
【０００９】
上記課題を解決すべく、請求項１に記載の発明は、デジタルカメラであって、撮影レンズと、前記撮影レンズからの被写体像を画像として取得する撮像素子と、前記撮像素子により取得されたライブビュー画像を表示する表示手段と、前記表示手段の状態を表示状態と非表示状態との間で切り替える切替手段と、前記デジタルカメラにおける手ぶれを補正する手ぶれ補正処理を行う補正手段と、を備え、前記補正手段は、前記表示手段が前記表示状態となっている場合において、前記撮像素子による本撮影画像の露光期間中に前記手ぶれ補正処理を実行する一方で、前記本撮影画像の前記露光期間よりも前のフレーミング期間の一部または全部における前記手ぶれ補正処理の実行状態を変更することが可能であることを特徴とする。
【００１０】
請求項２に記載の発明は、請求項１の発明に係るデジタルカメラにおいて、操作者による撮影指令を受け付ける手段、をさらに備え、前記補正手段は、前記フレーミング期間中において、前記撮影指令を受け付けるまで前記手ぶれ補正処理を実行しないことを特徴とする。
【００１１】
請求項３に記載の発明は、請求項１の発明に係るデジタルカメラにおいて、操作者による撮影準備開始指令を受け付ける手段、をさらに備え、前記補正手段は、前記フレーミング期間中において、前記撮影準備開始指令を受け付けるまでは前記手ぶれ補正処理を実行せず、前記撮影準備開始指令に応じた前記本撮影画像に関する撮影準備中に前記手ぶれ補正処理を実行することを特徴とする。
【００１２】
請求項４に記載の発明は、請求項１の発明に係るデジタルカメラにおいて、前記手ぶれ補正処理の実行期間を、少なくともその始期が互いに異なる複数の期間の中から選択して設定する手段、をさらに備えることを特徴とする。
【００１３】
請求項５に記載の発明は、請求項１から請求項４のいずれかの発明に係るデジタルカメラにおいて、前記撮影レンズと前記撮像素子との相対移動を行う駆動手段、をさらに備え、前記補正手段は、前記駆動手段を用いて前記手ぶれを補正することを特徴とする。
【００１４】
請求項６に記載の発明は、デジタルカメラであって、撮影レンズと、前記撮影レンズからの被写体像を画像として取得する撮像素子と、前記撮像素子により取得されたライブビュー画像を表示する表示手段と、前記デジタルカメラにおける手ぶれを補正する手ぶれ補正処理を行う補正手段と、を備え、前記補正手段は、前記撮像素子による本撮影画像の露光期間中に前記手ぶれ補正処理を実行する一方で、前記本撮影画像についてのフレーミング期間の一部または全部における前記手ぶれ補正処理の実行状態を変更することが可能であることを特徴とする。
【００１５】
請求項７に記載の発明は、請求項６の発明に係るデジタルカメラにおいて、前記表示手段の状態を表示状態と非表示状態との間で切り替える切替手段、をさらに備え、前記補正手段は、前記表示手段が前記非表示状態となっている場合において、前記撮像素子による本撮影画像の露光期間中に前記手ぶれ補正処理を実行する一方で、前記本撮影画像の前記露光期間よりも前のフレーミング期間の全部における前記手ぶれ補正処理を実行しないことを特徴とする。
【発明の効果】
【００１６】
請求項１ないし請求項５に記載の発明によれば、フレーミング期間の一部または全部における手ぶれ補正処理の実行状態を変更することが可能であるので、消費電力を低減することが可能である。特に、表示手段が表示状態となっている場合には、そうでない場合に比べて消費電力低減の要請が特に大きく、このような要請に応えて消費電力を低減することができる。
【００１７】
特に、請求項２に記載の発明によれば、フレーミング期間中において、撮影指令を受け付けるまで手ぶれ補正処理を実行しないので、特に消費電力を低減することができる。
【００１８】
特に、請求項３に記載の発明によれば、撮影準備開始指令を受け付けるまでは手ぶれ補正処理を実行しないので、消費電力を低減することができる。また、撮影準備開始指令に応じた本撮影画像に関する撮影準備中に手ぶれ補正処理を実行するので、操作性を確保することが可能である。
【００１９】
特に、請求項４に記載の発明によれば、操作性を確保することができる。
【００２０】
特に、請求項５に記載の発明によれば、消費電力が比較的大きな、駆動手段を用いた手ぶれ補正を行う場合に、フレーミング期間の一部または全部における手ぶれ補正処理の実行状態を変更することが可能であるので、消費電力を特に低減することができる。
【００２１】
また、請求項６または請求項７に記載の発明によれば、フレーミング期間の一部または全部における手ぶれ補正処理の実行状態を変更することが可能であるので、消費電力を低減することが可能である。
【００２２】
特に、請求項７に記載の発明によれば、本撮影画像についてのフレーミング期間の全部における手ぶれ補正処理を実行しないので、消費電力を特に低減することができる。
【発明を実施するための最良の形態】
【００２３】
＜１．第１実施形態＞
＜１Ａ．構成＞
＜概要＞
図１は、第１実施形態に係るデジタルカメラ（撮像装置）の主たる構成を示す断面図である。このデジタルカメラ（より詳細にはデジタルスチルカメラ）１は、手ぶれによる画像中の被写体像のぶれを補正（抑制）する手ぶれ補正機能を有している。図に示すようにデジタルカメラ１は、主としてカメラ本体部２と、カメラ本体部２に固設される撮影レンズ（撮影光学系）３とから構成される。なお、以下の説明においては、図に示すＸＹＺ３次元直交座標系を適宜用いて、方向および向きを示すこととする。ここで、Ｚ軸方向は撮影レンズ３の光軸Ｌに沿った方向であり、Ｚ軸正方向は入射光の入射先となる向き（図において右向き）である。また、Ｙ軸方向は鉛直方向であり、Ｙ軸正方向は鉛直上向き（図において上向き）である。さらに、Ｘ軸方向は図面（紙面）に対しての垂直方向であり、Ｘ軸正方向は図面（紙面）に対する垂直下向きである。これらＸＹＺ軸は、カメラ本体部２のハウジング２ａに対して相対的に固定される。
【００２４】
撮影レンズ３は主として、鏡胴３１、ならびに、鏡胴３１の内部に設けられる複数のレンズ群３２および絞り３３から構成される。撮影レンズ３はズームレンズとして構成され、レンズ群３２の配置をＺ軸方向に変更することにより、焦点距離（撮像倍率）を変更可能とされている。撮影レンズ３を介して形成される被写体の光像は、図２に示すように、結像されるＸＹ平面（以下、「結像平面」という。）上において略円形の形状となり、イメージサークルＩＣと呼ばれる。なお、イメージサークルの中心位置ＣＣは、撮影レンズ３の結像平面と撮影レンズ３の光軸との交点であるとも表現できる。
【００２５】
撮影レンズ３の光軸Ｌの後方（Ｚ軸正方向側）には、カメラ本体部２のハウジング２ａに収容されたＣＣＤ５が配置されている。ＣＣＤ５は、カラーフィルタがそれぞれ付された微細な画素群で構成される撮像素子であり、撮影レンズ３によって結像される被写体の光像（被写体像）を、例えばＲＧＢの色成分を有する画像信号に光電変換する。
【００２６】
ＣＣＤ５の受光面は結像平面と一致するように配置され、イメージサークルを含む結像平面の一部の領域が画像データ（本明細書中では、適宜単に「画像」ともいう。）として取得されることとなる。図２において、矩形の領域ＰＡは結像平面上におけるＣＣＤ５の有効画素群の配置の例を示している。この領域は結像平面上にて画像として取得される領域であるため「画像取得領域」ＰＡともいう。
【００２７】
ＣＣＤ５はＣＣＤ移動部５０内に固定されて配置される。ＣＣＤ５は、このＣＣＤ移動部５０によりＺ軸に直交するＸＹ平面内にて移動することが可能とされている。図３は、ＣＣＤ５を含めたＣＣＤ移動部５０の分解斜視図である。
【００２８】
図３に示すように、ＣＣＤ移動部５０は主として、ハウジング２ａに固設されるベース板５１、ベース板５１に対してＸ軸方向に移動する第１スライダ５２、および、第１スライダ５１に対してＹ軸方向に移動する第２スライダ５３の３つの部材から構成される。
【００２９】
ベース板５１は、撮影レンズ３からの入射光を通過可能に中央部が開口しており、Ｘ軸方向に延設される第１アクチュエータ５１１、および、スプリング５５を掛けるための第１スプリング掛け５１２を備えている。第２スライダ５３は、ＣＣＤ５を固定可能な開口部５３３がその中央部に形成されるとともに、Ｙ軸方向に延設される第２アクチュエータ５３１、および、剛球５４をＺ軸方向両面に遊嵌する剛球受け５３２を備えている。また、第１スライダ５２は中央部が開口しており、第１アクチュエータ５１１と対向する位置に第１摩擦結合部５２１、および、第２アクチュエータ５３１と対向する位置に第２摩擦結合部５２２がそれぞれ設けられ、さらに、第１スプリング掛け５１２と対向する位置に第２スプリング掛け５２３が設けられる。
【００３０】
第１アクチュエータ５１１および第２アクチュエータ５３１はそれぞれ、圧電素子と延設方向に駆動可能な駆動ロッドとを備えており、圧電素子に印加される駆動パルスに応じた量および向きに駆動ロッドが移動するようになっている。
【００３１】
ＣＣＤ移動部５０が組み上げられるときには、ＣＣＤ５が第２スライダ５３の開口部５３３に嵌合して固設されるとともに、第１アクチュエータ５１１の駆動ロッドと第１摩擦結合部５２１とが摩擦結合され、第２アクチュエータ５３１の駆動ロッドと第２摩擦結合部５２２とが摩擦結合される。また、ベース板５１と第１スライダ５２とは、スプリング５５によって相互に接近する向きに付勢される。このとき、第２スライダ５３は、ベース板５１と第１スライダ５２とに剛球５４を介して挟み込まれた状態とされる。これにより、Ｚ軸負方向側から正方向側に向かって、ベース板５１、第２スライダ５３、第１スライダ５２の順に重なって、これら部材５１，５３，５２が配置されることとなる。
【００３２】
このようなＣＣＤ移動部５０が組み上げられた状態で、第１アクチュエータ５１１の駆動ロッドが緩速で移動すると、これに摩擦結合する第１摩擦結合部５２１により第１スライダ５２がベース板５１に対してＸ軸方向に移動する。このとき、第１スライダ５２の移動にあわせて第２スライダ５３もベース板５１に対してＸ軸方向に移動する。第１アクチュエータ５１１の駆動ロッドが急速に移動すると、慣性により第１スライダ５２は停止する。また、第２アクチュエータ５３１の駆動ロッドが緩速で移動すると、これに摩擦結合する第２摩擦結合部５２２により第２スライダ５３が第１スライダ５２に対してＹ軸方向に移動する。このとき、第１スライダ５２のベース板５１に対する移動はなされないため、第２スライダ５３は単独でベース板５１に対してＹ軸方向に移動することとなる。第２アクチュエータ５３１の駆動ロッドが急速に移動すると、慣性により第２スライダ５３は停止する。つまり、各圧電素子に与えられる駆動パルスによって各駆動ロッドが速度の異なる往動および復動（振動）を行うことにより、第２スライダ５３がＸ軸・Ｙ軸方向に移動することとなる。
【００３３】
また、前述したように、ベース板５１はカメラ本体部２のハウジング２ａに固設され、ＣＣＤ５は第２スライダ５３に固設されることから、ＣＣＤ５はカメラ本体部２のハウジング２ａに対してＸＹ平面内にて相対的に移動することとなる。これにより、撮影レンズ３により形成されるイメージサークルＩＣと、ＣＣＤ５との相対位置が変更可能とされ、イメージサークルＩＣ中において画像として取得される領域が変更されることとなる。
【００３４】
図１に戻り、ＣＣＤ５のＺ軸正方向側には、移動するＣＣＤ５の位置を検出するためのＣＣＤ位置センサ５８が配置されている。ＣＣＤ位置センサ５８は、発光ダイオード等で構成される２つの投光部５６ａ，５６ｂ、および、フォトダイオード等で構成される２つの受光部５７ａ，５７ｂを備えている。投光部５６ａ，５６ｂはＣＣＤ５の裏面側（Ｚ軸正方向側）に固設される一方、受光部５７ａ，５７ｂは投光部５６ａ，５６ｂにそれぞれ対向するようにカメラ本体部２のハウジング２ａに固設される。投光部５６ａ，５６ｂから投光された光は受光部５７ａ，５７ｂにて受光可能となっており、この受光部５７ａ，５７ｂにて受光する光の位置の変化から、ＣＣＤ５の位置がＸＹ座標位置として求められる。具体的には、第１投光部５６ａおよび第１受光部５７ａにてＣＣＤ５のＸ軸方向の位置を検出し、第２投光部５６ｂおよび第２受光部５７ｂにてＣＣＤ５のＹ軸方向の位置を検出するようになっている。
【００３５】
また、カメラ本体部２のハウジング２ａの内部には、デジタルカメラ１の手ぶれによる振動を検出する振動センサ４０が設けられている。振動センサ４０は、２つの角速度センサ（第１角速度センサ４１および第２角速度センサ４２）を備えており、第１角速度センサ４１にてＸ軸を中心とした回転振動（ピッチング）Ｐｉの角速度が検出され、第２角速度センサ４２にてＹ軸を中心とした回転振動（ヨーイング）Ｙａの角速度が検出される。この振動センサ４０により検出される２つの角速度に基づいて、ＣＣＤ５がＸ軸およびＹ軸のそれぞれの方向に移動されることにより、画像中の被写体像のぶれの補正、すなわち、手ぶれ補正がなされることとなる。
【００３６】
カメラ本体部２の上面側にはシャッタボタン６１が設けられる。シャッタボタン６１は、撮影準備の開始や撮像（露光開始）の指示をユーザから受け付けるボタンであり、半押し状態（以下、Ｓ１状態とも称する）と全押し状態（以下、Ｓ２状態とも称する）とが検出可能な２段階スイッチになっている。
【００３７】
デジタルカメラ１は、シャッタボタン６１が半押し状態Ｓ１にまで押下されると「撮影準備開始指令」が入力されたものと判定し、シャッタボタン６１が全押し状態Ｓ２にまで押下されると「撮影指令」が入力されたものと判定する。
【００３８】
また、カメラ本体部２の背面側には、操作部６０（図４参照）、ＬＣＤ８１、および光学ファインダ８２が設けられる。
【００３９】
操作部６０は、デジタルカメラ１の各種指示や設定をユーザから受け付けるものである。操作部６０は、独立して設けられた複数の操作部材（ボタン、スイッチなど）を有している。具体的には、操作部６０は、前述のシャッタボタン６１の他、モードスイッチ６２（図４参照）、表示切替ボタン６３、および手ぶれ補正切替ボタン６４、十字カーソルボタン６５などを有している。なお、モードスイッチ６２、表示切替ボタン６３、および手ぶれ補正切替ボタン６４は、図示の都合上、図１には示していないが、カメラ本体部２の表面の適宜の位置に設けられている。また、これら複数の操作部材は、カメラ本体部２の背面だけでなく、カメラ本体部２の側面および上面などにも適宜設けられる。
【００４０】
操作者（ユーザ）は、この操作部６０にて所定の操作を行うことにより、各種の設定操作を行うことができる。
【００４１】
例えば、操作者は、モードスイッチ６２を操作することによって、デジタルカメラ１のモードを再生モードと撮影モードとの間で切り替えることができる。また、モードスイッチ６２は、電源スイッチを兼ねており、電源のオン・オフ操作も行うことができる。
【００４２】
また、操作者は、表示切替ボタン６３を操作することによって、デジタルカメラ１のＬＣＤ８１の状態を表示状態および非表示状態との間で切り替えることができる。具体的には、操作者が表示切替ボタン６３を押下するごとに、ＬＣＤ８１の表示状態と非表示状態とが順次に切り替わる。
【００４３】
さらに、操作者は、手ぶれ補正切替ボタン６４を操作することによって、デジタルカメラ１における手ぶれ補正の有効・無効を切り替えることができる。具体的には、操作者が手ぶれ補正切替ボタン６４を押下するごとに、手ぶれ補正処理が有効に設定された状態と無効に設定された状態とが順次に切り替わる。
【００４４】
また、十字カーソルボタン６５を用いることによって、撮影レンズ３の焦点距離の設定、あるいは手ぶれ補正処理の実行期間（後述）の設定等を行うことができるようになっている。
【００４５】
ＬＣＤ８１は、各種の情報や画像を表示する表示部である。このＬＣＤ８１は撮影待機状態において、ＣＣＤ５にて所定時間ごとに取得される画像を表示（ライブビュー表示）し、被写体像をユーザに確認させつつフレーミングを行わせるビューファインダとして機能する。すなわち、ＬＣＤ８１は電子式ファインダである。また、ＬＣＤ８１は、後述の光学ファインダとは異なり、眼を離した状態でその表示内容を視認するための「非接眼式」のファインダである。
【００４６】
なお、この明細書においては、フレーミングのためなどに用いられるプレビュー用の画像を「ライブビュー画像」と称し、シャッタボタン６１の全押し状態Ｓ２までの押下に応じて記録用の画像として取得される画像を「本撮影画像」とも称する。
【００４７】
また、光学ファインダ８２は、眼を近づけた状態で被写体像を確認するための「接眼式」のファインダである。また、鏡胴３１の内部の複数のレンズ群３２を介して入射した光線（被写体像）は、図示しないハーフミラーおよびプリズム等を介して、光学ファインダ８２に到達する。すなわち、この光学ファインダ８２は、光学式（より詳細にはＴＴＬ方式）のファインダである。操作者は、この光学ファインダ８２を覗くことによって被写体像を確認することができる。なお、これに限定されず、ＴＴＬ方式（内光式）ではなく、外光式の光学ファインダを用いるようにしてもよい。
【００４８】
また、カメラ本体部２の内部には、各種データを記録するメモリカード９（図４参照）を挿入して装着することが可能とされ、ＣＣＤ５にて取得された記録用の画像（本撮影画像）はメモリカード９に記録されるようになっている。
【００４９】
＜機能ブロック＞
デジタルカメラ１の手ぶれ補正機能やセンタリング情報取得機能等を含む各種の機能は、カメラ本体部２のハウジング２ａ内に設けられる全体制御部の制御に基づいて行われる。図４は、この全体制御部７を含めたデジタルカメラ１の主たる機能構成を機能ブロックとして示す図である。
【００５０】
図４に示すように、ＣＣＤ５、ＣＣＤ移動部５０、ＣＣＤ位置センサ５８、振動センサ４０、操作部６０およびＬＣＤ８１等のデジタルカメラ１の各処理部は全体制御部７に電気的に接続され、全体制御部７の制御下にて動作することとなる。これとともに、ＣＣＤ位置センサ５８にて検出されるＣＣＤ５の位置、振動センサ４０にて検出される角速度、シャッタボタン６１を含む操作部６０の操作内容等は、それぞれ信号として全体制御部７に入力される。
【００５１】
撮影レンズ３は、ズーム・フォーカス駆動部３２１および絞り駆動部３３１を備えている。ズーム・フォーカス駆動部３２１は、ユーザにより設定される焦点距離となるように、また、焦点が合うように（フォーカシング）レンズ群３２に含まれるレンズを適宜Ｚ軸方向に駆動するものである。また、絞り駆動部３３１は、全体制御部７により設定される絞り値となるように絞り３３の開口径を調整するものである。ズーム・フォーカス駆動部３２１および絞り駆動部３３１も電気的に全体制御部７に接続され、全体制御部７の制御下にて動作する。
【００５２】
また、図４において、Ａ／Ｄ変換部２１、画像処理部２２および画像メモリ２３は、ＣＣＤ５にて取得された画像を扱う処理部を示している。すなわち、ＣＣＤ５にて取得されたアナログ信号の画像は、Ａ／Ｄ変換部２１にてデジタル信号に変換され、画像処理部２２にて所定の画像処理がなされた後、画像メモリ２３に一時的に格納される。画像メモリ２３に格納された画像は、記録用画像としてメモリカード９へ記録されたり、ライブビュー表示用画像としてＬＣＤ８１に表示されることとなる。このような画像に対する各種の処理も全体制御部７の制御に基づいて行われる。
【００５３】
全体制御部７は、マイクロコンピュータを備えて構成される。すなわち、全体制御部７は、各種演算処理を行うＣＰＵ７０と、演算を行うための作業領域となるＲＡＭ７５と、制御プログラム等が記憶されるＲＯＭ７６とを備え、上述したようなデジタルカメラ１の各処理部の動作を統括的に制御する。不揮発性メモリであるＲＯＭ７６としては、例えば、データの電気的な書き換えが可能なＥＥＰＲＯＭが採用される。これにより、ＲＯＭ７６は、データの書き換えが可能で、かつ、電源を落とした場合でもそのデータの内容を保持する。
【００５４】
全体制御部７は、自動合焦制御（ＡＦ制御）、自動露出制御（ＡＥ制御）、手ぶれ補正制御などの各種の制御機能を有する。全体制御部７の各種の機能は、予めＲＯＭ７６内に記憶される制御プログラムに従ってＣＰＵ７０が演算処理を行うことにより実現される。また、図４においては、各機能を実現する機能部（ＡＦ制御部７１、ＡＥ制御部７２、手ぶれ補正制御部７３）を便宜的に示している。
【００５５】
ＡＦ制御部７１は、ユーザによってシャッタボタン６１が半押し状態とされた場合に機能し、山登り方式（ビデオ方式あるいはコントラスト方式とも称する）の自動合焦制御を行うための評価値演算動作等を行う。ここでは、画像内の所定のＡＦ評価領域に対応する画像成分について、水平方向に隣接する２画素間での差分絶対値の総和がＡＦ用評価値（合焦用評価値）として算出される。そして、ＡＦ制御部７１は、このＡＦ用評価値を利用して合焦位置を求め、撮影レンズ３を合焦位置に向けて駆動する。言い換えれば、ＡＦ制御部７１は、合焦用評価値を用いて撮影レンズ３の焦点位置を調整することによって自動合焦制御を実現する。
【００５６】
ＡＥ制御部７２は、画像を複数のブロックに分割し、各ブロックの代表輝度値に基づいてＡＥ用評価値を算出する。このＡＥ用評価値を用いて自動露出制御が実現される。
【００５７】
手ぶれ補正制御部７３は、手ぶれ補正機能を実現するための制御を行う。具体的には、手ぶれ補正制御部７３は、振動センサ４０から入力される２つの角速度に基づいて、振動による被写体像のぶれ量およびその向きに対応するＣＣＤ５の移動すべき位置（以下、「移動先位置」という。）を導出する。
【００５８】
手ぶれ補正制御部７３は、ＣＣＤ位置センサ５８から得られるＣＣＤ５の現在位置（測定位置）と、導出した移動先位置（目標位置）とを比較してＣＣＤ５の移動すべき移動量および向きを導出する。さらに、導出した移動量および向きに応じた駆動パルスを生成し、この駆動パルスをＣＣＤ移動部５０のアクチュエータ５１１，５３１に送信することにより、ＣＣＤ５を移動先位置に移動させる。このように、デジタルカメラ１の振動に応じた移動先位置を導出し、ＣＣＤ５の現在位置と移動先位置とを比較してＣＣＤ５の位置を移動先位置に順次移動させるクローズドループ制御が行われることにより、画像中の被写体像のぶれが補正されることとなる。
【００５９】
このようにして、デジタルカメラ１に対する手ぶれを補正する「手ぶれ補正処理」が施される。なお、ＣＣＤ移動部５０は、全体制御部７の制御下において、手ぶれ補正機構（光学的補正機構）として機能する。
【００６０】
また、図４に示すように、デジタルカメラ１の各部は、電池８３（一次電池あるいは二次電池）から電力供給を受ける。電池８３から供給される電力量には限りがあるので、デジタルカメラ１における消費電力は低減されることが好ましい。
【００６１】
＜１Ｂ．動作＞
図５〜図７は、デジタルカメラ１における動作を示すフローチャートである。ここでは、電源投入後の最初の１枚の本撮影画像の撮影動作について説明する。
【００６２】
電源スイッチ（モードスイッチ）６２の操作によってカメラの電源がオン状態にされると、まず、ステップＳＰ１（図５）において、カメラのモードが再生モードであるのか、撮影モードであるのかが判定される。上述したように、操作者は、モードスイッチ６２を操作することによって、デジタルカメラ１のモードを再生モードと撮影モードとの間で切り替えることができる。デジタルカメラ１は、ステップＳＰ１において、このモードスイッチ６２による設定状態を検出する。再生モードに設定されていることが検出された場合には、ステップＳＰ２に進み、再生モードにおける処理が行われる。一方、撮影モードに設定されていることが検出された場合には、ステップＳＰ３に進み、撮影モードにおける処理が行われる。
【００６３】
ステップＳＰ３においては、全体制御部７は、ＬＣＤ８１の表示設定を切り替える表示切替ボタン６３による設定状態を検出する。そして、この設定内容に応じて、ＬＣＤ８１の状態を切り替える。具体的には、全体制御部７は、ＬＣＤ８１を表示状態（ＯＮ状態）にする旨が設定されていることを検出すると、ＬＣＤ８１を表示状態（ＯＮ状態）にする（ステップＳＰ４）。一方、全体制御部７は、ＬＣＤ８１を非表示状態（ＯＦＦ状態）にする旨が設定されていることを検出すると、ＬＣＤ８１を非表示状態（ＯＦＦ状態）にする（ステップＳＰ５）。
【００６４】
また、ステップＳＰ６，ＳＰ７においては、全体制御部７は、手ぶれ補正処理を有効にするか否かを切り替える手ぶれ補正切替ボタン６４による設定状態を検出する。そして、この検出結果（すなわち手ぶれ補正処理の有効・無効に関する設定内容）と、上記のＬＣＤ８１の表示に関する設定内容とに応じて、分岐処理が行われる。
【００６５】
この分岐処理の結果、次の４通りに分岐する。すなわち、
（１）ＬＣＤ８１をＯＮにし、且つ、手ぶれ補正処理を行わない（手ぶれ補正を無効にする）旨が設定されている場合、
（２）ＬＣＤ８１をＯＮにし、且つ、手ぶれ補正処理を行う（手ぶれ補正を有効にする）旨が設定されている場合、
（３）ＬＣＤ８１をＯＦＦにし、且つ、手ぶれ補正処理を行う（手ぶれ補正を有効にする）旨が設定されている場合、
（４）ＬＣＤ８１をＯＦＦにし、且つ、手ぶれ補正処理を行わない（手ぶれ補正を無効にする）旨が設定されている場合、
の４通りである。
【００６６】
以下では、（４），（３），（１），（２）の順に説明する。
【００６７】
まず、（４）の場合の動作について説明する。この場合には、手ぶれ補正処理を行わない旨が設定されていることに対応して、手ぶれ補正処理を全く行わない。
【００６８】
具体的には、まずステップＳＰ５（図５）からステップＳＰ６１（図７）に進む。ステップＳＰ６１では、ＬＣＤ８１はオフ状態となり、操作者は、光学ファインダ８２で被写体像を確認しながら、フレーミングを行う。また、このフレーミングの際には、手ぶれ補正処理は行われない。
【００６９】
その後、適宜のタイミングで、シャッタボタン６１が半押し状態Ｓ１にまで押下され、さらに全押し状態Ｓ２にまで押下されると（ステップＳＰ６２）、本撮影画像（静止画像）の撮影が行われる（ステップＳＰ６３）。
【００７０】
詳細には、半押し状態Ｓ１では、ＡＦ制御動作およびＡＥ制御動作が行われ、全押し状態Ｓ２では、本撮影画像の露光動作等が行われる。より具体的には、デジタルカメラ１は、シャッタボタン６１が半押し状態Ｓ１にまで押下されると「撮影準備開始指令」が入力されたものと判定し、ＡＦ制御動作およびＡＥ制御動作を行う。また、デジタルカメラ１は、シャッタボタン６１が全押し状態Ｓ２にまで押下されると「撮影指令」が入力されたものと判定し、本撮影画像を撮影するための露光動作等を行う。なお、この（４）の場合には、本撮影画像の露光動作の際にも、手ぶれ補正処理は行われない。
【００７１】
また、フレーミング（動作）は、「撮影指令」が受け付けられるまで継続されるものであり、この撮影指令が受け付けられるまでの期間を「フレーミング期間」と称するものとする。この「フレーミング期間」は、電源がオンされた時点、再生モードから撮影モードへと移行した時点、あるいは、直前の本撮影画像の撮影動作が終了した時点など、或る本撮影画像のためのフレーミング動作が始まる時点において開始する。また、「フレーミング期間」は、本撮影画像の撮影のための露光期間を含まないものとする。
【００７２】
つぎに、（３）の場合の動作について説明する。この場合には、手ぶれ補正処理を行う旨が設定されていることに対応して、本撮影画像の露光期間中のみ、手ぶれ補正処理を行う。
【００７３】
具体的には、まず、ステップＳＰ５（図５）からステップＳＰ５１（図７）に進む。ステップＳＰ５１は、ステップＳＰ６１と同様である。ステップＳＰ５１では、ＬＣＤ８１はオフ状態となり、操作者は、光学ファインダ８２で被写体像を確認しながら、フレーミングを行う。このフレーミングの際には、手ぶれ補正処理は未だ行われない。
【００７４】
その後、操作者は、光学ファインダ８２を見ながら、適宜のタイミングで、シャッタボタン６１を半押し状態Ｓ１にまで押下し、さらに全押し状態Ｓ２にまで押下する（ステップＳＰ５２）。半押し状態Ｓ１では、ＡＦ制御動作およびＡＥ制御動作が行われる。また、手ぶれ補正処理を行う旨が設定されていることに対応して、全押し状態Ｓ２では、手ぶれ補正制御部７３が、手ぶれ補正処理を開始（ステップＳＰ５３）した後に、本撮影画像（静止画像）の撮影（より詳細には露光動作等）が行われる（ステップＳＰ５４）。そして、本撮影画像の露光が終了すると、手ぶれ補正処理が終了する（ステップＳＰ５５）。
【００７５】
このように、手ぶれ補正処理は、シャッタボタン６１が全押し状態Ｓ２にまで押下された後に開始され、本撮影画像の露光動作終了まで継続される。したがって、本撮影画像の露光動作の際にも手ぶれ補正処理が行われる。これによって、手ぶれが抑制された本撮影画像を取得することができる。
【００７６】
この場合において、撮影指令が受け付けられるまで（シャッタボタン６１が全押し状態Ｓ２になるまで）は手ぶれ補正処理が実行されず、一方、その撮影指令に応じた本撮影画像（静止画像）の露光期間中には手ぶれ補正処理が実行される。これによれば、撮影指令が受け付けられるまでは手ぶれ補正処理が開始されないので、消費電力を低減することができる。
【００７７】
つぎに、（１）の場合の動作について説明する。
【００７８】
この場合には、ステップＳＰ８（図５）においてライブビュー画像がＬＣＤ８１に表示される。操作者は、ＬＣＤ８１に表示されるライブビュー画像を見ながら、フレーミングを行う（図６、ステップＳＰ１１）。このフレーミングの際には、手ぶれ補正処理は行われない。
【００７９】
その後、適宜のタイミングで、シャッタボタン６１が半押し状態Ｓ１にまで押下され、さらに全押し状態Ｓ２にまで押下されると（ステップＳＰ１２）、本撮影画像（静止画像）の撮影が行われる（ステップＳＰ１３）。
【００８０】
詳細には、半押し状態Ｓ１では、ＡＦ制御動作およびＡＥ制御動作が行われ、全押し状態Ｓ２では、露光動作等が行われる。より具体的には、デジタルカメラ１は、シャッタボタン６１が半押し状態Ｓ１にまで押下されると「撮影準備開始指令」が入力されたものと判定し、ＡＦ制御動作およびＡＥ制御動作を行う。また、シャッタボタン６１が全押し状態Ｓ２にまで押下されると「撮影指令」が入力されたものと判定し、本撮影画像を撮影するための露光動作等が行われる。なお、この（１）の場合には、本撮影画像の露光動作の際にも、手ぶれ補正処理は行われない。
【００８１】
最後に、（２）の場合の動作について説明する。
【００８２】
この場合、まずステップＳＰ９（図５）においてライブビュー画像がＬＣＤ８１に表示される。
【００８３】
そして、ステップＳＰ１５（図６）において、手ぶれ補正処理の実行期間の設定内容による分岐処理が行われる。
【００８４】
操作者は、手ぶれ補正処理の実行期間を、複数（ここでは３つ）の期間の中から、予め選択しておくことが可能である。これら３つの期間は、始期（開始時点）および終期（終了時点）の少なくとも一方が互いに異なっており、具体的には、「常時」、「半押し〜露光終了」、「露光中のみ」の各期間である。実行期間の選択操作は、設定用画面Ｇ１（次述）を用いて予め行われる。
【００８５】
図８は、手ぶれ補正処理の実行期間を設定する設定用画面Ｇ１を示す図である。この画面Ｇ１は、適宜の操作によって、メニュー画面としてＬＣＤ８１に表示される。操作者は、この画面Ｇ１の３つの選択肢（「常時」、「半押し〜露光終了」、「露光中のみ」）の中から、所望の選択肢を十字カーソルボタン６５などを用いて選択することによって、プレビュー時の手ぶれ補正処理の実行期間を変更することができる。
【００８６】
また、図９は、手ぶれ補正処理の実行タイミングおよびライブビュー画像の表示タイミングと、撮影準備開始指令ＳＤ１、撮影指令ＳＤ２、本撮影画像の露光期間ＴＭ１との関係を示すタイミングチャートである。図９（ａ）は「常時」という選択肢が選択されているときのタイミングチャートであり、図９（ｂ）は「半押し〜露光終了」という選択肢が選択されているときのタイミングチャートであり、図９（ｃ）は「露光中のみ」という選択肢が選択されているときのタイミングチャートである。
【００８７】
以下では、図５〜図７、および図９を参照しながら、各選択肢が選択された場合における動作について説明する。
【００８８】
まず、「常時」の選択肢が予め選択されている場合について説明する。この場合には、プレビュー期間中において常時手ぶれ補正処理が実行される。
【００８９】
具体的には、まず、ステップＳＰ２１（図６）において、手ぶれ補正処理が開始される。操作者は、ＬＣＤ８１に表示されるライブビュー画像を見ながら、フレーミングを行う（ステップＳＰ２２）。このフレーミングの際には、常に手ぶれ補正処理が行われるとともに、手ぶれが抑制されたライブビュー画像がＬＣＤ８１に表示される（図９（ａ）参照）。
【００９０】
その後、操作者は、手ぶれが抑制されたライブビュー画像を見ながら、適宜のタイミングで、シャッタボタン６１を半押し状態Ｓ１にまで押下し、さらに全押し状態Ｓ２にまで押下すると（ステップＳＰ２３）、本撮影画像（静止画像）の撮影が行われる（ステップＳＰ２４）。より詳細には、半押し状態Ｓ１では、ＡＦ制御動作およびＡＥ制御動作が行われ、全押し状態Ｓ２では、露光動作等が行われる。この露光動作の際にも、手ぶれ補正処理が行われ、手ぶれが抑制された本撮影画像を取得することができる（図９（ａ）参照）。
【００９１】
つぎに、「半押し〜露光終了」の選択肢が予め選択されている場合について説明する。この場合には、プレビュー期間中のうち、シャッタボタン６１が半押し状態Ｓ１にまで押下された直後から、本撮影画像の露光終了時点までの間にわたって、手ぶれ補正処理が実行される。一方、プレビュー期間中のうち、シャッタボタン６１が半押し状態Ｓ１にされるまでの期間は、手ぶれ補正処理が実行されない。
【００９２】
具体的には、まず、ステップＳＰ３１（図６）において、操作者は、ＬＣＤ８１に表示されるライブビュー画像を見ながら、フレーミングを行う。この時点においては、未だ手ぶれ補正処理が実行されていないので、手ぶれ補正処理が施されていないライブビュー画像がＬＣＤ８１に表示される（図９（ｂ）参照）。
【００９３】
その後、操作者は、ライブビュー画像を見ながら、適宜のタイミングで、シャッタボタン６１を半押し状態Ｓ１にまで押下する（ステップＳＰ３２）。この押下に応答して、ＡＦ制御部７１およびＡＥ制御部７２は、それぞれ、ＡＦ制御動作およびＡＥ制御動作を行うとともに、全体制御部７の手ぶれ補正制御部７３は、手ぶれ補正処理を開始する（ステップＳＰ３３）。
【００９４】
シャッタボタン６１が半押し状態Ｓ１にまで押下された後（すなわち、撮影準備開始指令ＳＤ１が受け付けられた後）には、手ぶれ補正処理が実行されており、ＬＣＤ８１に表示されるライブビュー画像は手ぶれが抑制された画像となっている（図９（ｂ）参照）。
【００９５】
さらに、操作者がシャッタボタン６１を全押し状態Ｓ２にまで押下する（ステップＳＰ３４）と、本撮影画像（静止画像）の撮影が行われる（ステップＳＰ３５）。本撮影画像の露光が終了すると、手ぶれ補正処理が終了する（ステップＳＰ３６）。
【００９６】
図９（ｂ）にも示すように、シャッタボタン６１が半押し状態Ｓ１にまで押下された後から開始された手ぶれ補正処理は、本撮影画像の露光動作終了まで継続される。したがって、本撮影画像の露光動作の際にも手ぶれ補正処理が行われる。これによって、手ぶれが抑制された本撮影画像を取得することができる。
【００９７】
つぎに、「露光中のみ」の選択肢が予め選択されている場合について説明する。この場合には、シャッタボタン６１が全押し状態Ｓ２にまで押下された直後から、本撮影画像の露光終了時点までの間にわたって、手ぶれ補正処理が実行される。一方、プレビュー期間中のうちシャッタボタン６１が全押し状態Ｓ２にされるまでの期間（言い換えれば、プレビュー期間の全期間）において、手ぶれ補正処理が実行されない。
【００９８】
具体的には、まず、ステップＳＰ４１（図６）において、操作者は、ＬＣＤ８１に表示されるライブビュー画像を見ながら、フレーミングを行う。この時点においては、未だ手ぶれ補正処理が実行されていないので、手ぶれ補正処理が施されていないライブビュー画像がＬＣＤ８１に表示される（図９（ｃ）参照）。
【００９９】
その後、操作者は、ライブビュー画像を見ながら、適宜のタイミングで、シャッタボタン６１を半押し状態Ｓ１にまで押下し、さらに全押し状態Ｓ２にまで押下する（ステップＳＰ４２）。半押し状態Ｓ１では、ＡＦ制御動作およびＡＥ制御動作が行われる。また、全押し状態Ｓ２では、手ぶれ補正制御部７３が、手ぶれ補正処理を開始（ステップＳＰ４３）した後に、本撮影画像（静止画像）の撮影が行われる（ステップＳＰ４４）。そして、本撮影画像の露光が終了すると、手ぶれ補正処理が終了する（ステップＳＰ４５）。
【０１００】
図９（ｃ）にも示すように、シャッタボタン６１が全押し状態Ｓ２にまで押下された後（すなわち、撮影指令ＳＤ２が受け付けられた後）から開始された手ぶれ補正処理は、本撮影画像の露光期間ＴＭ１の終了まで継続される。したがって、本撮影画像の露光動作の際にも手ぶれ補正処理が行われる。これによって、手ぶれが抑制された本撮影画像を取得することができる。
【０１０１】
なお、上記における１枚の本撮影画像の撮影動作が終了した後においては、同様の動作を繰り返すことによって、次の１枚の本撮影画像を撮影することができる。
【０１０２】
以上のように、このデジタルカメラ１によれば、手ぶれ補正処理を撮影モードにおいて（特にＬＣＤ８１が表示状態（オン状態）となっている場合において）「常時」行うのではなく、フレーミング期間の一部または全部における手ぶれ補正処理の実行状態を変更することが可能である。より詳細には、手ぶれ補正処理の実行・非実行を切り替えることによって、手ぶれ補正処理期間を限定するように（短くするように）変更することが可能である（図９（ｂ），（ｃ）参照）。これによれば、「常時」手ぶれ補正処理を実行する場合に比べて、消費電力を低減することが可能である。
【０１０３】
具体的には、「半押し〜露光終了」の選択肢を選択することによって、フレーミング期間の一部において手ぶれ補正処理を実行しないようにすることができる（図９（ｂ）参照）。この場合には、撮影準備開始指令ＳＤ１が受け付けられるまで（シャッタボタン６１が半押し状態Ｓ１になるまで）は、手ぶれ補正処理が実行されず、その撮影準備開始指令ＳＤ１に応じた本撮影画像（静止画像）の撮影準備中に手ぶれ補正処理が実行される。これによれば、撮影準備開始指令ＳＤ１が受け付けられるまでは手ぶれ補正処理が開始されないので、消費電力を低減することができる。また、撮影準備開始指令ＳＤ１に応じた本撮影画像に関する撮影準備中に手ぶれ補正処理を実行することによって、この撮影準備中には手ぶれ補正処理が施されたライブビュー画像をＬＣＤ８１に表示させることができるので、操作性も確保することができる。
【０１０４】
あるいは、「露光中のみ」の選択肢を選択することによって、フレーミング期間の全部において手ぶれ補正処理を実行しないようにすることができる（図９（ｃ）参照）。この場合には、撮影指令ＳＤ２が受け付けられるまで（シャッタボタン６１が全押し状態Ｓ２になるまで）は、手ぶれ補正処理が実行されず、その撮影指令ＳＤ２に応じた本撮影画像（静止画像）の露光期間ＴＭ１中に手ぶれ補正処理が実行される。これによれば、撮影指令ＳＤ２が受け付けられるまでは手ぶれ補正処理が開始されないので、消費電力をさらに低減することができる。
【０１０５】
また、上記実施形態においては、手ぶれ補正処理の実行期間を、少なくともその始期が互いに異なる３つの期間（具体的には、「常時」、「半押し〜露光終了」、「露光中のみ」）の中から選択して設定することができるので、操作が簡単である。
【０１０６】
また、上記実施形態においては、手ぶれ補正を有効にする旨が設定されている場合（すなわち、上記の（２）または（３）の場合）には、ＬＣＤ８１の状態に応じて、手ぶれ補正処理の実行および非実行が自動的に制御される。具体的には、手ぶれ補正制御部７３は、ＬＣＤ８１が表示状態（ＯＮ状態）になっていることを検出すると、手ぶれが生じ易い状態であると判定して、少なくとも本撮影画像の露光期間ＴＭ１中に手ぶれ補正処理を実行する。一方、手ぶれ補正制御部７３は、ＬＣＤ８１が非表示状態（ＯＦＦ状態）になっていることを検出すると、少なくともフレーミング期間中には手ぶれ補正処理を実行しないように制御する。このように、ＬＣＤ８１の状態に応じて、自動的に手ぶれ補正処理の実行および非実行が制御されるので、操作者の手を煩わせることなく、簡易に且つ確実に消費電力を低減することができる。
【０１０７】
また、光学的な手ぶれ補正機構（光学的補正機構）は駆動機構を伴うため消費電力が比較的大きいが、このような光学的補正機構を用いて手ぶれ補正を行う場合に、フレーミング期間の一部または全部において手ぶれ補正処理を実行しないことによって、消費電力を特に低減することができる。
【０１０８】
また、上記実施形態において、ＬＣＤ８１が表示状態（オン状態）となっている場合には、そうでない場合に比べて消費電力が大きいため、特に消費電力低減の要請が大きい。このような場合（ＬＣＤ８１の状態が表示状態となっている場合）において、上記のように手ぶれ補正実行期間を短縮することによれば、このような要請に応えることができる。
【０１０９】
＜変形例＞
上記実施形態においては、画面Ｇ１（図８）を用いて３つの選択肢の中から所望の選択肢を選択する場合について説明したがこれに限定されない。たとえば、選択肢を設定するための専用のボタンを設けるようにしてもよい。より詳細には、手ぶれ補正実行期間選択用の専用ボタンをデジタルカメラ１の表面のいずれかの部位に設け、そのボタンを押下するごとに、上記の３つの選択肢が循環的（サイクリック）に且つ選択的に選択されるようにすればよい。あるいは、上記の手ぶれ補正切替ボタン６４に、手ぶれ補正の有効無効の切替機能と手ぶれ補正実行期間選択機能との両方を付与するようにしてもよい。具体的には、手ぶれ補正切替ボタン６４を押下するごとに、手ぶれ補正が「有効」であることを前提にする実行期間に関する上記３つの選択肢（「常時」、「半押し〜露光終了」、「露光中のみ」）に「無効」の選択肢を加えた合計４つの選択肢のうちの１つが、循環的に選択されるようにすればよい。
【０１１０】
また、上記実施形態においては、表示切替ボタン６３の押下によって、ＬＣＤ８１の状態を表示状態と非表示状態との間で切り替える場合について説明したが、これに限定されない。たとえば、操作者の眼が光学ファインダ８２に接近したことを検出する接眼検出センサを用いるようにしてもよい。具体的には、接眼検知センサを光学ファインダ８２の近傍に設けておく。そして、その接眼検知センサを用いて操作者の眼が光学ファインダ８２に接近したことが検出されない間は、光学ファインダ８２が用いられておらずＬＣＤ８１による表示が必要であると判定して、ＬＣＤ８１の状態を表示状態（オン状態）とする。一方、その接眼検知センサを用いて操作者の眼が光学ファインダ８２に接近したことが検出されると、光学ファインダ８２が用いられていると判定して、その表示が不要なＬＣＤ８１の状態を非表示状態（オフ状態）とする。このようにして、接眼検知センサによる（接眼状態の）検出結果を用いて、ＬＣＤ８１の状態を表示状態と非表示状態との間で切り替えるようにしてもよい。
【０１１１】
また、上記実施形態においては、光学的な手ぶれ補正処理が行われる場合について説明したが、画像処理による手ぶれ補正処理を行う場合にも、上記の思想を適用することができる。
【０１１２】
＜２．第２実施形態＞
第２実施形態は、第１実施形態に対する変形例である。第２実施形態に係るデジタルカメラは、第１実施形態と同様の構成を有する一方、その動作が若干相違する。以下では、相違点を中心に説明する。
【０１１３】
図１０は、第２実施形態に係るデジタルカメラの動作を示すフローチャートである。なお、図１０には、図５〜図７における動作と同様の動作が存在し、同様の動作には同一のステップ番号を付している。また、重複を避けるため、同様の動作については適宜説明を省略する。
【０１１４】
ステップＳＰ１〜ＳＰ７までは上述の動作と同様である。以降の処理は、上記と同様、４つの場合に分岐する。すなわち、
（１）ＬＣＤ８１をＯＮにし、且つ、手ぶれ補正処理を行わない（手ぶれ補正を無効にする）旨が設定されている場合、
（２）ＬＣＤ８１をＯＮにし、且つ、手ぶれ補正処理を行う（手ぶれ補正を有効にする）旨が設定されている場合、
（３）ＬＣＤ８１をＯＦＦにし、且つ、手ぶれ補正処理を行う（手ぶれ補正を有効にする）旨が設定されている場合、
（４）ＬＣＤ８１をＯＦＦにし、且つ、手ぶれ補正処理を行わない（手ぶれ補正を無効にする）旨が設定されている場合、
の４通りである。
【０１１５】
このうち、（１）（４）の場合は、第１実施形態と同様である。
【０１１６】
また、（２）の場合には、第１実施形態において「常時」が選択された場合と同様の処理（ステップＳＰ９，ＳＰ２１，ＳＰ２３，ＳＰ２４）が実行される。
【０１１７】
そして、（３）の場合、具体的には、ＬＣＤ８１をＯＦＦにし、且つ、手ぶれ補正処理を行う（手ぶれ補正を有効にする）旨が設定されている場合には次の動作を行う。具体的には、ＬＣＤ８１が非表示状態（オフ状態）にすべき旨が設定されていたとしても、手ぶれ補正処理が有効にされている場合には、ＬＣＤ８１を表示状態（オン状態）にする。このような動作は、全体制御部７によって実現される。
【０１１８】
これによれば、手ぶれ補正処理が行われているときには、常にＬＣＤ８１を表示状態とし、ＬＣＤ８１にライブビュー画像を表示させることができる。
【０１１９】
ここにおいて、従来の手ぶれ補正処理実行時においては、光学ファインダ８２で確認される被写体像と実際の撮影画像（本撮影画像）での被写体像とが異なることがある。
【０１２０】
図１１および図１２は、このような事情を説明するための図である。
【０１２１】
図１１は、手ぶれが存在しない場合の撮影画像（本撮影画像）の撮影範囲Ｒ１を示している。ここでは、このような画像を撮影しようとする際に、図１２に示すような矢印ＡＲ１の方向（画面の左上側と右下側とを結ぶ方向）における往復振動を生起するような手ぶれが存在する状態で、操作者が光学ファインダ８２を用いてその撮影領域を確認する状況を想定する。
【０１２２】
この状況においては、光学ファインダ８２によって左上側の領域Ｒ１が撮影範囲であると認識されたにもかかわらず、（撮像のための）露光タイミングによっては実際の撮影範囲が右下側の領域Ｒ２になる、などの事態が発生することがある。言い換えれば、露光タイミングによっては実際に撮影される画像の撮影範囲とフレーミングによる視認範囲との間にずれが生じることがある。すなわち、正確なフレーミング動作が困難になるという問題がある。
【０１２３】
これに対して、図１０に示す動作によれば、手ぶれ補正処理が実行されるときには、ＬＣＤ１０の表示・非表示に関する設定状態にかかわらず、ＬＣＤ８１において手ぶれが抑制されたライブビュー画像が常に表示されることになるので、操作者はこのライブビュー画像を見て、実際の撮影範囲を正確に認識することができる。すなわち、より正確なフレーミング動作が可能になる。
【０１２４】
なお、上記においては、光学的な手ぶれ補正処理が行われる場合について説明したが、画像処理による手ぶれ補正処理を行う場合にも、上記の思想を適用することができる。画像処理としては、例えば、ＣＣＤによって撮像した画像を、手ぶれ量に応じてその手ぶれ方向と逆向きにずらした画像を用いて補正処理を行うなどの手法を用いることが可能である。
【０１２５】
このような画像処理による手ぶれ補正処理による場合には、矢印ＡＲ１方向にずれた複数の画像領域Ｒ１，Ｒ２などの和領域Ｒ３（図１２の二点鎖線で囲まれる領域）のうち、それら複数の画像の積領域（共通領域）Ｒ４（図１２の一点鎖線で囲まれる領域）を撮影範囲とする画像を生成することができる。
【０１２６】
この場合において、光学ファインダ８２を用いてフレーミングを行うと、操作者は、領域Ｒ１あるいは領域Ｒ２、又は両領域Ｒ１，Ｒ２の和領域Ｒ３（図１２の破線で囲まれる領域）等を、撮影範囲として認識することになる。これらの領域Ｒ１，Ｒ２，Ｒ３は、いずれも領域Ｒ４よりも大きな領域、言い換えれば、領域Ｒ４は、領域Ｒ１，Ｒ２，Ｒ３のいずれよりも小さな領域である。したがって、実際に撮影される本撮影画像の撮影範囲Ｒ４は、光学ファインダ８２で撮影範囲として認識された領域Ｒ１，Ｒ２，Ｒ３のいずれよりも狭くなることになる。このように、実際の撮影領域の範囲とフレーミング時の視認範囲の範囲とが相違するため、正確なフレーミング動作が困難になるという問題がある。
【０１２７】
これに対して、画像処理による手ぶれ補正処理を行う場合にも図１０に示す動作を行うことによれば、手ぶれ補正処理が実行されるときには、ＬＣＤ８１においてライブビュー画像が常に表示される。より詳細には、ライブビュー画像として、手ぶれ補正処理後の画像をＬＣＤ８１に表示する。そして、このライブビュー画像は、領域Ｒ４を撮影範囲とする画像である。したがって、操作者は、光学ファインダ８２を用いるのではなく、ＬＣＤ８１に表示されたライブビュー画像を見て、実際の撮影範囲Ｒ４を正確に認識することができる。具体的には、操作者は、本撮影画像と同じ撮影範囲Ｒ４をＬＣＤ８１で確実に確認することが可能である。
【０１２８】
このように、この第２実施形態には以下の構成を有する発明等が含まれている。
【０１２９】
（Ａ）デジタルカメラであって、
撮影レンズと、
前記撮影レンズからの被写体像を画像として取得する撮像素子と、
前記撮像素子により取得されたライブビュー画像を表示する表示手段と、
前記表示手段の状態を表示状態と非表示状態との間で切り替える制御手段と、
前記デジタルカメラにおける手ぶれを補正する手ぶれ補正処理を行う補正手段と、
前記手ぶれ補正処理の実行および非実行を切り替える切替手段と、
を備え、
前記制御手段は、前記切替手段によって前記手ぶれ補正処理が実行されることに連動して、前記表示手段において前記ライブビュー画像を表示させることを特徴とするデジタルカメラ。これによれば、手ぶれ補正処理を行う際には常に表示手段にライブビュー画像が表示されるので、操作者は撮影画像と同じ画像を表示手段で確実に確認することが可能である。
【０１３０】
なお、上記の特許文献１に記載の技術は、単に、撮影者が光学ファインダを使用するのか電子ファインダを使用するのかに応じて、手ぶれ補正制御のオン・オフを切り替えるものに過ぎず、この第２実施形態の思想とも相違する。
【図面の簡単な説明】
【０１３１】
【図１】デジタルカメラ１の主たる構成を示す断面図である。
【図２】結像平面上のイメージサークルおよび画像取得領域を示す図である。
【図３】ＣＣＤ移動部の分解斜視図である。
【図４】デジタルカメラの主たる機能構成を示す図である。
【図５】デジタルカメラ１の動作を示すフローチャートである。
【図６】デジタルカメラ１の動作を示すフローチャートである。
【図７】デジタルカメラ１の動作を示すフローチャートである。
【図８】手ぶれ補正処理の実行期間を設定する設定用画面Ｇ１を示す図である。
【図９】手ぶれ補正処理の実行タイミング等を示すタイミングチャートである。
【図１０】デジタルカメラの動作を示すフローチャートである（第２実施形態）。
【図１１】撮影画像の撮影範囲を示す図である。
【図１２】手ぶれ時の光学ファインダ８２における被写体像の視認範囲を示す図である。
【符号の説明】
【０１３２】
１  デジタルカメラ
２  カメラ本体部
３  撮影レンズ
５  ＣＣＤ
４０  振動センサ
５０  ＣＣＤ移動部
６１  シャッタボタン
８１  ＬＣＤ
８２  光学ファインダ
Ｇ１  設定用画面
Ｌ  光軸
ＳＤ１  撮影準備開始指令
ＳＤ２  撮影指令
ＴＭ１  （本撮影画像の）露光期間
【図１】
2005175796.tif 000003
【図２】
2005175796.tif 000004
【図３】
2005175796.tif 000005
【図４】
2005175796.tif 000006
【図５】
2005175796.tif 000007
【図６】
2005175796.tif 000008
【図７】
2005175796.tif 000009
【図８】
2005175796.tif 000010
【図９】
2005175796.tif 000011
【図１０】
2005175796.tif 000012
【図１１】
2005175796.tif 000013
【図１２】
2005175796.tif 000014